(57)【要約】      （修正有）【課題】スピーカ等の電子部品のリード線のガイド構造と、そのガイド構造によるリード線を備える電子機器を提供する。【解決手段】弾性絶縁材料のキーシート４をキー回路基板３の一面側に配置する一方、電子部品５のリード線６をキー回路基板３の他面側に配置する構造であって、弾性絶縁材料のキーシート４に設けられた突起４１を、キー回路基板３の貫通孔に貫通して他面側に突出させ、突起４１の他面側への突出部に溝を形成し、その溝にリード線６を挿入して挟み込む。キー回路基板３の一部に電子部品５が配置されて、キー回路基板３の外側にメイン回路基板２の端子部が配置され、リード線６の一端が電子部品５の端子部に半田付けされ、リード線６の他端がメイン回路基板２の端子部に半田付けされる。【選択図】図１
2015119024.tif 000002
【特許請求の範囲】
【請求項１】
弾性絶縁材料のキーシートをキー回路基板の一面側に配置する一方、電子部品のリード線を前記キー回路基板の他面側に配置する構造であって、
前記弾性絶縁材料のキーシートに設けられた突起を、前記キー回路基板の貫通孔に貫通して他面側に突出させ、
前記突起の前記他面側への突出部に溝を形成し、
前記溝に前記リード線を挿入して挟み込んだことを特徴とするリード線のガイド構造。
【請求項２】
前記キー回路基板の一部に前記電子部品が配置されて、
前記キー回路基板の外側にメイン回路基板の端子部が配置され、
前記リード線の一端が前記電子部品の端子部に半田付けされて、
前記リード線の他端が前記メイン回路基板の端子部に半田付けされていることを特徴とする請求項１に記載のリード線のガイド構造。
【請求項３】
前記弾性絶縁材料のキーシートに設けられた突起の裏側に形成された穴に、ケースに一体の突起が挿入されていることを特徴とする請求項１または２に記載のリード線のガイド構造。
【請求項４】
前記突起の前記他面側への突出部に前記溝を略平行に複数形成し、
前記複数の略平行する前記溝に前記リード線をそれぞれ挿入して挟み込んだことを特徴とする請求項１から３のいずれか一項に記載のリード線のガイド構造。
【請求項５】
請求項１から４のいずれか一項に記載のガイド構造により配置されたリード線を備えることを特徴とする電子機器。
【発明の詳細な説明】
【技術分野】
【０００１】
本発明は、スピーカ等の電子部品のリード線のガイド構造と、そのガイド構造によるリード線を備える電子機器に関する。
【背景技術】
【０００２】
特許文献１において、スピーカのリード線を固定用基板のスリットに挟持させた構造が開示される。
【先行技術文献】
【特許文献】
【０００３】
【特許文献１】特開２００２−２９１０８９号公報
【発明の概要】
【発明が解決しようとする課題】
【０００４】
従来、スピーカが組み込まれた上ケースに下ケースを組み付ける際に、下ケースのリブがスピーカのリード線を噛み込んでしまうことがある。
これを避けるため、リード線をテープ等で固定すると、コストがアップし、組み付け作業効率が低下する。
【０００５】
本発明の課題は、電子部品のリード線を基板に沿わせた状態に保持して、ケースを組み付けてもリード線を噛み込むことがなく、固定用テープを廃止して、組み付け作業性の向上とコストダウンを図ることである。
【課題を解決するための手段】
【０００６】
以上の課題を解決するため、本発明は、
弾性絶縁材料のキーシートをキー回路基板の一面側に配置する一方、電子部品のリード線を前記キー回路基板の他面側に配置する構造であって、
前記弾性絶縁材料のキーシートに設けられた突起を、前記キー回路基板の貫通孔に貫通して他面側に突出させ、
前記突起の前記他面側への突出部に溝を形成し、
前記溝に前記リード線を挿入して挟み込んだ、リード線のガイド構造を特徴とする。
【発明の効果】
【０００７】
本発明によれば、キーのズレ防止用の突起に形成した溝にリード線を固定できるので、ケースを組み付けてもリード線を噛み込むことがなくなる。
従って、組み付け作業性もよくなり、固定用テープを廃止して、コストダウンできる。
また、キーは絶縁材料なので、リード線の被覆が切れてもショートすることがない。
【図面の簡単な説明】
【０００８】
【図１】本発明を適用した電子機器の一実施形態の構成を示すもので、電子辞書の電子部品実装構造例を示した平面図である。
【図２】図１の矢印Ａ−Ａ線に沿った拡大断面図である。
【図３】図１のリード線を通すための溝を有するズレ防止リブの拡大図（ａ）と、その溝にリード線を通した状態の図（ｂ）である。
【図４】図３（ｂ）の矢印Ｂ−Ｂ線に沿った拡大断面図である。
【図５】変形例を示す平面図である。
【発明を実施するための形態】
【０００９】
以下、図を参照して本発明を実施するための形態を詳細に説明する。
（実施形態）
図１及び図２は本発明を適用した電子機器の一実施形態の構成として電子辞書の電子部品実装構造例を示すもので、１は上ケース、２はメイン回路基板、３はキー回路基板、４はゴムキー、５はスピーカ（電子部品）、６はリード線である。
【００１０】
図示のように、上ケース１にメイン回路基板２、キー回路基板３が固定され、キー回路基板３の下にはゴムキー４が配置されている。ゴムキー４は、キー回路基板３のキー接点を有する面に配置され、シート状部材のキーシートに変形可能なドーム形状の複数のキー釦が一体に形成されている。そして、ゴムキー４には、後述するように、キー釦が形成されているシート面とは反対のシート面にズレ防止用の突起４１が、キー釦同士の間に複数形成されている。
また、キー回路基板３の略中央部に位置する電子部品であるスピーカ５が上ケース１に固定されている。
【００１１】
スピーカ５の一対のプラス／マイナス端子部には、一対のリード線６の一端が半田でそれぞれ固定されている。
また、一対のリード線６の他端は、メイン回路基板２のキー回路基板３に対し右側方に位置する一対のプラス／マイナス端子部に半田でそれぞれ固定されている。
【００１２】
そして、ゴムキー４のシートに設けられた７箇所のズレ防止用の突起４１が、キー回路基板３の貫通孔３１をそれぞれ貫通して、キー回路基板３に対するゴムキー４のズレ防止となっている。
さらに、ゴムキー４のズレ防止用の突起４１には、突起の裏側に穴４３が形成されており、この穴４３に、上ケース１のズレ防止用の突起１１がそれぞれ挿入されて、上ケース１に対するゴムキー４のズレ防止となっている。
【００１３】
以上において、ゴムキー４のズレ防止用の突起４１を利用して、リード線６が固定されている。
すなわち、メイン回路基板２とスピーカ５の間において、図３及び図４にも拡大して示すように、ゴムキー４の４箇所のズレ防止の突起４１を延長して突出部を形成し、その突出部に溝４２を形成する。
そして、その４箇所の突起４１の各々の溝４２にリード線６をそれぞれ圧入して挟み込む。
【００１４】
以上、実施形態のスピーカ５のリード線６のガイド構造によれば、ゴムキー４と一体のズレ防止用の突起４１を、キー回路基板３の貫通孔３１に貫通して他面側に突出させ、その突起４１の他面側への突出部に溝４２を形成し、その溝４２にリード線６を挿入して挟み込むことにより、リード線６が長くなっても、ゴムキー４の突起４１の突出部の溝４２に固定できるので、図示しない下ケースを組み付けてもリード線６を噛み込むことがなくなる。
従って、組み付け作業性もよくなり、固定用テープを廃止して、コストダウンできる。
また、突起４１のゴムは絶縁体なので、リード線６の被覆が切れてもショートすることがない。
【００１５】
（変形例）
図４は変形例を示すもので、図示のように、ゴムキー４と一体のズレ防止用の突起４１を大径に形成して、その大径の突起４１の突出部に、略平行する二本の溝４２を形成する。
そして、その大径の突起４１の二本の溝４２に一対のリード線６をそれぞれ圧入して挟み込む。
【００１６】
このように、ゴムキー４と一体の大径の突起４１の二本の溝４２に一対のリード線６を保持させてもよい。
【００１７】
（他の変形例）
以上の実施形態においては、電子辞書のスピーカのリード線としたが、本発明はこれに限定されるものではなく、スピーカに限らず、マイクなど他の電子部品のリード線でもよく、さらに、電子辞書に限らず、携帯電話など他の電子機器であってもよい。
また、実施形態では、ゴムキーとしたが、軟質樹脂など他の弾性絶縁材料によるキーであってもよい。
さらに、キー、突起及び溝の形状と個数等も任意であり、その他、具体的な細部構造等についても適宜に変更可能であることは勿論である。
【００１８】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
弾性絶縁材料のキーシートをキー回路基板の一面側に配置する一方、電子部品のリード線を前記キー回路基板の他面側に配置する構造であって、
前記弾性絶縁材料のキーシートに設けられた突起を、前記キー回路基板の貫通孔に貫通して他面側に突出させ、
前記突起の前記他面側への突出部に溝を形成し、
前記溝に前記リード線を挿入して挟み込んだことを特徴とするリード線のガイド構造。
＜請求項２＞
前記キー回路基板の一部に前記電子部品が配置されて、
前記キー回路基板の外側にメイン回路基板の端子部が配置され、
前記リード線の一端が前記電子部品の端子部に半田付けされて、
前記リード線の他端が前記メイン回路基板の端子部に半田付けされていることを特徴とする請求項１に記載のリード線のガイド構造。
＜請求項３＞
前記弾性絶縁材料のキーシートに設けられた突起の裏側に形成された穴に、ケースに一体の突起が挿入されていることを特徴とする請求項１または２に記載のリード線のガイド構造。
＜請求項４＞
前記突起の前記他面側への突出部に前記溝を略平行に複数形成し、
前記複数の略平行する前記溝に前記リード線をそれぞれ挿入して挟み込んだことを特徴とする請求項１から３のいずれか一項に記載のリード線のガイド構造。
＜請求項５＞
請求項１から４のいずれか一項に記載のガイド構造により配置されたリード線を備えることを特徴とする電子機器。
【符号の説明】
【００１９】
１  ケース
１１  突起
２  メイン回路基板
３  キー回路基板
３１  貫通孔
４  キーシート
４１  突起
４２  溝
４３  穴
５  電子部品
６  リード線
【図１】
2015119024.tif 000003
【図２】
2015119024.tif 000004
【図３】
2015119024.tif 000005
【図４】
2015119024.tif 000006
【図５】
2015119024.tif 000007